(57)【要約】【課題】複数の電線間の隙間を伝う水等の液体を止水する止水構造を備えるワイヤーハーネスを提供すること。【解決手段】ワイヤーハーネス１は、複数の電線２と第一止水部材３とを備える。そして、第一止水部材３は、複数の線状部材が束ねられて形成され、複数の電線２それぞれの全周に亘って巻き付けられた複数の巻付部３１を含んでいる。そして、例えば、ワイヤーハーネス１における第一止水部材３は、吸水性を有していることが考えられる。【選択図】図１
2016051626.tif 000002
【特許請求の範囲】
【請求項１】
複数の電線と、
複数の線状部材が束ねられて形成され、前記複数の電線それぞれの全周に亘って巻き付けられた複数の巻付部を含む第一止水部材と、を備えるワイヤーハーネス。
【請求項２】
請求項１に記載のワイヤーハーネスであって、
前記第一止水部材が、吸水性を有する、ワイヤーハーネス。
【請求項３】
請求項１又は請求項２に記載のワイヤーハーネスであって、
複数のキャビティが形成され、前記複数の電線が前記複数のキャビティの少なくとも一部に収容されることにより前記電線の端部に接続されたコネクタをさらに備える、ワイヤーハーネス。
【請求項４】
請求項３に記載のワイヤーハーネスであって、
前記第一止水部材は、前記第一止水部材の前記巻付部から連続的に延びる部分である流路部を含み、
前記流路部の端部が、前記コネクタの前記複数のキャビティにおける前記電線が収容されていない残りの部分に収容されることにより、前記コネクタに前記第一止水部材が固定されている、ワイヤーハーネス。
【請求項５】
請求項４に記載のワイヤーハーネスであって、
前記第一止水部材の前記流路部の端部に、吸水して膨らむ性質を有する第二止水部材が設けられている、ワイヤーハーネス。
【請求項６】
請求項４又は請求項５に記載のワイヤーハーネスであって、
前記コネクタに、前記流路部を通過する液体を排水可能な排水孔が形成されている、ワイヤーハーネス。
【請求項７】
請求項３から請求項６のいずれか１項に記載のワイヤーハーネスであって、
前記コネクタから引き出された前記電線の周囲を一括して覆う外装材をさらに備える、ワイヤーハーネス。
【発明の詳細な説明】
【技術分野】
【０００１】
本発明は、複数の電線を備えるワイヤーハーネスの止水構造に関する。
【背景技術】
【０００２】
自動車等の車両に搭載されるワイヤーハーネスにおいては、複数の電線の端部にコネクタ等の電装部品が接続される。
【０００３】
また、ワイヤーハーネスが、複数の電線から端部の電装部品に水等の液体がかかってしまうことを防ぐ防水構造を備える場合がある。例えば、特許文献１に示されるワイヤーハーネスは、複数の電線とこの複数の電線の端部に接続されたコネクタ（電装部品）との隙間を埋めるテープ状の樹脂からなる被覆部材を備えている。
【先行技術文献】
【特許文献】
【０００４】
【特許文献１】特開２０１３−１８７００４号公報
【発明の概要】
【発明が解決しようとする課題】
【０００５】
しかしながら、特許文献１に示されるワイヤーハーネスにおいて、水等の液体が、電線の外周面を伝って複数の電線間の隙間に浸入し、電線の端部に接続されたコネクタ等の電装部品に浸入することがある。
【０００６】
本発明は、複数の電線間の隙間を伝う水等の液体を止水する止水構造を備えるワイヤーハーネスを提供することを目的とする。
【課題を解決するための手段】
【０００７】
第１態様に係るワイヤーハーネスは、複数の電線と、複数の線状部材が束ねられて形成され、前記複数の電線それぞれの全周に亘って巻き付けられた複数の巻付部を含む第一止水部材と、を備える。
【０００８】
第２態様に係るワイヤーハーネスは、第１態様に係るワイヤーハーネスの一態様である。第２態様に係るワイヤーハーネスにおいては、前記第一止水部材が、吸水性を有する。
【０００９】
第３態様に係るワイヤーハーネスは、第１態様又は第２態様に係るワイヤーハーネスの一態様である。第３態様に係るワイヤーハーネスは、複数のキャビティが形成され、前記複数の電線が前記複数のキャビティの少なくとも一部に収容されることにより前記電線の端部に接続されたコネクタをさらに備える。
【００１０】
第４態様に係るワイヤーハーネスは、第３態様に係るワイヤーハーネスの一態様である。第４態様に係るワイヤーハーネスにおいては、前記第一止水部材は、前記第一止水部材の前記巻付部から連続的に延びる部分である流路部を含み、前記流路部の端部が、前記コネクタの前記複数のキャビティにおける前記電線が収容されていない残りの部分に収容されることにより、前記コネクタに前記第一止水部材が固定されている。
【００１１】
第５態様に係るワイヤーハーネスは、第４態様に係るワイヤーハーネスの一態様である。第５態様に係るワイヤーハーネスにおいては、前記第一止水部材の前記流路部の端部に、吸水して膨らむ性質を有する第二止水部材が設けられている。
【００１２】
第６態様に係るワイヤーハーネスは、第４態様又は第５態様に係るワイヤーハーネスの一態様である。第６態様に係るワイヤーハーネスにおいては、前記コネクタに、前記流路部を通過する液体を排水可能な排水孔が形成されている。
【００１３】
第７態様に係るワイヤーハーネスは、第３態様から第６態様のいずれか１つに係るワイヤーハーネスの一態様である。第７態様に係るワイヤーハーネスは、前記コネクタから引き出された前記電線の周囲を一括して覆う外装材をさらに備える。
【発明の効果】
【００１４】
上記の各態様において、ワイヤーハーネスは、第一止水部材を備える。第一止水部材は、複数の線状部材が束ねられて形成されている。そして、第一止水部材は、複数の電線それぞれの全周に亘って巻き付けられた複数の巻付部を含む。この場合、電線の外周面を伝う水等の液体は、巻付部において第一止水部材に吸水される。そのため、このワイヤーハーネスにおいては、複数の電線間の隙間を伝う水等の液体を止水することが可能となる。
【００１５】
また、第２態様において、第一止水部材は、吸水性を有する。この場合、電線の外周面を伝う液体が、巻付部においてより第一止水部材に吸水されやすくなる。
【００１６】
また、第３態様において、ワイヤーハーネスは、複数のキャビティが形成され、複数の電線が複数のキャビティの少なくとも一部に収容されることにより電線の端部に接続されたコネクタをさらに備える。この場合、コネクタのキャビティ内に浸入する液体を止水することができる。
【００１７】
また、第４態様において、第一止水部材は、第一止水部材の巻付部から連続的に延びる部分である流路部を含む。そして、流路部の端部が、コネクタの複数のキャビティにおける電線が収容されていない残りの部分に収容されることにより、コネクタに第一止水部材が固定されている。この場合、コネクタのキャビティを利用してコネクタ、電線及び第一止水部材が一体となったワイヤーハーネスを得ることができる。
【００１８】
また、第５態様において、第一止水部材の流路部の端部に、吸水して膨らむ性質を有する第二止水部材が設けられている。この場合、第一止水部材によって吸い上げられた液体は、第一止水部材の流路部の端部に設けられた第二止水部材へ到達する。そして、第二止水部材が吸水し膨らむことで、コネクタのキャビティにおける第一止水部材の巻付部側の反対側の開口から侵入する液体をせき止めることができる。
【００１９】
また、第６態様において、コネクタに、流路部を通過する液体を排水可能な排水孔が形成されている。この場合、第一止水部材で吸い上げた液体を排出することができ、より優れた止水構造を備えるワイヤーハーネスを得ることができる。
【００２０】
また、第７態様において、ワイヤーハーネスは、コネクタから引き出された電線の周囲を一括して覆う外装材をさらに備える。この場合、より優れた止水構造を備えるワイヤーハーネスを得ることができる。
【図面の簡単な説明】
【００２１】
【図１】第１実施形態に係るワイヤーハーネスの平面図である。
【図２】第１実施形態に係るワイヤーハーネスの断面図である。
【図３】第１実施形態に係るワイヤーハーネスの第一止水部材の断面図である。
【図４】第１実施形態に係るワイヤーハーネスのコネクタの斜視図である。
【図５】第１実施形態に係るワイヤーハーネスの一部切り欠き側面図である。
【図６】第１実施形態に係るワイヤーハーネスの一部切り欠き側面図である。
【図７】第２実施形態に係るワイヤーハーネスの一部切り欠き側面図である。
【発明を実施するための形態】
【００２２】
以下、添付の図面を参照しながら、本発明の実施形態について説明する。以下の実施形態は、本発明を具現化した一例であり、本発明の技術的範囲を限定する事例ではない。
【００２３】
＜第１実施形態＞
図１〜６を参照しつつ、第１実施形態に係るワイヤーハーネス１について説明する。本実施形態に係るワイヤーハーネス１は、例えば、自動車等の車両に搭載される。
【００２４】
ワイヤーハーネス１は、複数の電線２と第一止水部材３とを備える。また、本実施形態において、ワイヤーハーネス１は、コネクタ４をさらに備える。また、本実施形態においては、ワイヤーハーネス１には、第二止水部材５が設けられている。また、本実施形態では、ワイヤーハーネス１は、外装材６をさらに備える。
【００２５】
図１は、ワイヤーハーネス１の平面図である。図１では、外装材６が仮想線（二点鎖線）で示されている。図２は、電線２の断面図である。なお、図２では、外装材６及びコネクタ４が省略され、また、第一止水部材３が簡略化されて示されている。図３は、第一止水部材３の断面図である。図４は、コネクタ４の斜視図である。図５は、ワイヤーハーネス１の一部切り欠き側面図であり、コネクタ４及び第一止水部材３が示されている。図６は、ワイヤーハーネス１の一部切り欠き側面図であり、コネクタ４及び電線２が示されている。なお、図５，６においては、外装材６が省略されて示されている。
【００２６】
＜ワイヤーハーネス：電線＞
ワイヤーハーネス１は、複数の電線２を備える。図１に示されるように、本実施形態は、ワイヤーハーネス１が、３本の電線２を備える場合の事例である。しかしながら、ワイヤーハーネス１に含まれる電線２が、２本の場合又は４本以上の場合も考えられる。
【００２７】
本実施形態において、電線２は、芯線２１及びその周囲を覆う絶縁被覆２２を有する絶縁電線である。芯線２１は、例えば、銅又はアルミニウム等の金属を主成分とする線材である。絶縁被覆２２は、例えば、ポリエチレン、塩化ビニル又はポリアミド系ナイロンなどを主成分とする合成樹脂の部材である。
【００２８】
本実施形態において、電線２の端部には、端子２３が接続されている。端子２３は、例えば、銅等の金属を主成分とする金属の部材である。図５，６に示されるように、電線２は、端子２３を介してコネクタ４に接続される。
【００２９】
例えば、端子２３は、圧着によって電線２の端部に接続されている場合が考えられる。なお、端子２３が、電線２に超音波溶接又は熱溶接等によって接続されている場合も考えられる。
【００３０】
＜ワイヤーハーネス：第一止水部材＞
ワイヤーハーネス１において、第一止水部材３は、複数の線状部材３０が束ねられて形成されている。図３に示されるように、例えば、複数の線状部材３０が束ねられて形成される第一止水部材３においては、第一隙間３０１及び第二隙間３０２が形成される。
【００３１】
第一止水部材３を形成する線状部材３０としては、例えば、金属の線材又は非金属の線材等が考えられる。例えば、線状部材３０としては、絶縁電線、金属糸、繊維又は綿糸等が考えられる。
【００３２】
本実施形態において、第一止水部材３は、複数の線状部材３０が束ねられて形成されるひも状の部材である。第一止水部材３は、例えば、複数の線状部材３０が撚られながら束ねられて形成されている場合が考えられる。また、第一止水部材３が、複数の線状部材３０が互いに平行に配置された状態で束ねられて形成されている場合も考えられる。
【００３３】
第一止水部材３は、複数の電線２各々に対して巻き付けられる。ワイヤーハーネス１において、第一止水部材３における電線２に巻き付けられた部分を、巻付部３１と称する。また、本実施形態において、第一止水部材３は、さらに流路部３２を含んでいる。
【００３４】
巻付部３１は、複数の電線２それぞれの全周に亘って巻き付けられた部分である。即ち、第一止水部材３は、複数の巻付部３１を含んでいる。また、本実施形態では、１つのひも状の第一止水部材３が複数の電線２に対して巻き付けられており、複数の巻付部３１は、それぞれ繋がっている。なお、本実施形態は、第一止水部材３が、３つの巻付部３１を含む場合の事例である。
【００３５】
図２に示されるように、巻付部３１において、第一止水部材３は、各電線２の外周面に接した状態でその電線２の全周に亘って巻き付けられている。なお、本実施形態では、電線２は、芯線２１及び絶縁被覆２２を備える絶縁電線である。そのため、第一止水部材３は、電線２の絶縁被覆２２の外周面に接した状態で電線２に巻き付けられた巻付部３１を含んでいる。
【００３６】
ワイヤーハーネス１においては、電線２の外周面を伝う水等の液体が、第一止水部材３における電線２に巻き付けられた巻付部３１に吸水される。より具体的には、電線２の外周面を伝う液体が、毛細管現象によって第一止水部材３の第一隙間３０１を通り第二隙間３０２に吸い上げられる。即ち、本実施形態において、第一止水部材３は、吸水性を有する。第一止水部材３は、例えば、毛細管現象による吸水性を有する部材であることが考えられる。そして、吸い上げられた液体は、第一止水部材３の第二隙間３０２を通り、第一止水部材３の経路に沿って巻付部３１から流路部３２へと移動する。
【００３７】
本実施形態において、第一隙間３０１は、電線２の外周面を伝う液体を毛細管現象によって吸い上げる隙間である。また、第二隙間３０２は、第一隙間３０１によって吸い上げられた液体の流路を成す隙間である。従って、第一隙間３０１は、第二隙間３０２よりも、小さい隙間であることが考えられる。
【００３８】
第一止水部材３において、比較的小さい隙間である第一隙間３０１は、例えば、隣り合う２つの線状部材３０間に生じることが考えられる。即ち、隣り合う線状部材３０の外周面間の部分が、第一隙間３０１を成すことが考えられる。また、第一止水部材３において、比較的大きな隙間である第二隙間３０２は、例えば、３つ以上の線状部材３０の間の空間であることが考えられる。即ち、３つ以上の線状部材３０の外周面によって囲まれた空間が、第二隙間３０２を成すことが考えられる。
【００３９】
また、本実施形態において、線状部材３０は、断面が真円状又は楕円状等の円形状であることが考えられる。断面が円形状の線状部材３０を含む第一止水部材３においては、線状部材３０が隣り合う部分には、比較的小さな第一隙間３０１が形成されやすく、また、３つ以上の線状部材３０によって囲まれる部分には、比較的大きな第二隙間３０２が形成されやすいためである。そして、本実施形態の第一止水部材３においては、第一隙間３０１によって電線２を伝う液体を吸い上げ、第二隙間３０２を通り第一止水部材３の長手方向に液体が流れることにより、ワイヤーハーネス１の止水構造をより向上させることが可能となる。なお、第一止水部材３が、断面が円形状以外の線状部材３０、例えば、断面が矩形状の線状部材３０を含む場合等も考えられる。
【００４０】
流路部３２は、第一止水部材３の巻付部３１から連続的に延びる部分である。流路部３２の端部は、後述するコネクタ４のキャビティ４１に収容される。即ち、本実施形態において、流路部３２は、第一止水部材３における一方の端から巻付部３１までに亘る部分である。一方、本実施形態において、第一止水部材３における他方の端から巻付部３１に亘る部分を、以下、他方側流路部３９と称する。
【００４１】
本実施形態においては、流路部３２の端部には、電線２の端部に接続された端子２３と同形状の端子３２３が接続されている。本実施形態では、第一止水部材３の流路部３２の端部に接続された端子３２３も、コネクタ４のキャビティ４１に収容される。詳しくは、後述する。
【００４２】
また、本実施形態において、他方側流路部３９における端部は、流路部３２の端部とともに、端子３２３に圧着され接続されている場合が考えられる。また、他方側流路部３９が、流路部３２の周囲に巻き付けられている場合も考えられる。
【００４３】
上述のように、第一止水部材３において、巻付部３１は、電線２の外周面を伝う液体を吸水する。その後、巻付部３１で吸水された液体は、流路部３２を通ってその端部まで移動する。これにより、複数の電線２間の隙間を伝う液体を止水することが可能となる。そのため、例えば、電線２と端子２３との接続部分等に液体がかかってしまうことを抑制することができる。
【００４４】
また、後述するように、本実施形態において、流路部３２の端部には、第二止水部材５が設けられている。そのため、巻付部３１で吸い上げられた液体は、流路部３２を通過してその端部に設けられた第二止水部材５に到達する。
【００４５】
＜ワイヤーハーネス：コネクタ＞
本実施形態のワイヤーハーネス１は、コネクタ４を備えている。コネクタ４には、複数のキャビティ４１が形成されている。
【００４６】
本実施形態において、複数のキャビティ４１には、電線２及び第一止水部材３の端部が収容される。本実施形態では、複数の電線２の端部が、複数のキャビティ４１の少なくとも一部に収容される。これにより、コネクタ４が、電線２の端部に接続されている。なお、本実施形態において、コネクタ４は、端子２３を備える電線２の端子２３を介して電線２の端部に接続されている。
【００４７】
また、本実施形態において、流路部３２の端部は、コネクタ４の複数のキャビティ４１における電線２が収容されていない残りの部分に収容される。本実施形態では、第一止水部材３の流路部３２の端部の端子３２３を介してコネクタ４と第一止水部材３とが接続している。
【００４８】
図４に示されるように、本実施形態では、コネクタ４には、４つのキャビティ４１が形成されている。そして、図１に示されるように、４つのキャビティ４１のうち３つのキャビティ４１にそれぞれ電線２の端部が収容されている。また、４つのキャビティ４１の残りの１つには、第一止水部材３の流路部３２の端部が収容されている。以下、必要に応じ、第一止水部材３が収容されるキャビティ４１を、止水用キャビティ４１Ｘと称する。
【００４９】
排水孔４３は、第一止水部材３の流路部３２を通過する液体を、排水可能にする孔である。例えば、排水孔４３は、コネクタ４の外周面から止水用キャビティ４１Ｘの内周面へ貫通する貫通孔であることが考えられる。また、排水孔４３は、コネクタ４を含むワイヤーハーネス１が車両に搭載される時に、止水用キャビティ４１Ｘに収容される第一止水部材３の鉛直下向き側に位置するように、コネクタ４に設けられることが考えられる。この場合、第一止水部材３で吸い上げた液体を、コネクタ４に形成された排水孔４３を利用して排出することができる。そのため、より優れた止水構造を備えるワイヤーハーネス１を得ることができる。
【００５０】
また、本実施形態において、コネクタ４には、図６に示されるように、電線２の端部に接続された端子２３をコネクタ４に対して固定する第一保持部４２１及び第二保持部４２２が形成されている。本実施形態の第一保持部４２１は、端子２３を押さえて固定する構造を有する。また、本実施形態の第二保持部４２２、端子２３に引っ掛かることが可能な構造を有している。
【００５１】
また、保持部４２は、第一止水部材３の流路部３２の端部に接続された端子３２３もコネクタ４に対して固定することが可能である。即ち、本実施形態では、コネクタ４の第一保持部４２１及び第二保持部４２２を利用して、第一止水部材３をコネクタ４に対して固定することができる。
【００５２】
コネクタ４は、例えば、ポリブチレンテレフタレート（ＰＢＴ）又はＡＢＳ樹脂などの絶縁性の樹脂材料で構成されている。また、第一保持部４２１及び第二保持部４２２が、上記の構造以外の構造である場合も考えられる。
【００５３】
また、便宜上、コネクタ４における第一止水部材３が引き出されている側の面を第一面４１１と称する。また、第一面４１１に対し反対側の面を第二面４１２と称して説明する。
【００５４】
＜ワイヤーハーネス：第二止水部材＞
本実施形態においては、さらに、第一止水部材３の流路部３２の端部には、吸水して膨らむ性質を有する第二止水部材５が設けられている。本実施形態において、第一止水部材３の流路部３２の端部に設けられた第二止水部材５は、コネクタ４の止水用キャビティ４１Ｘに収容されている。
【００５５】
また、本実施形態では、端子３２３と第一止水部材３の流路部３２との間に第二止水部材５が挟まれた状態で端子３２３が第一止水部材３に圧着されることにより、第二止水部材５が第一止水部材３の流路部３２の端部に取り付けられ、また、端子３２３が、第一止水部材３に取り付けられる。図５に示される例では、第二止水部材５は、第一止水部材３の先端に取り付けられている。しかしながら、第二止水部材５が、流路部３２の先端から少し中間側寄りの部分、即ち、第一止水部材３の先端以外の部分に取り付けられている場合も考えられる。
【００５６】
第一止水部材３の流路部３２の端部に接続された第二止水部材５は、吸水して膨らむ性質を有する。第二止水部材５は、例えば、エポキシ樹脂、ポリアミド樹脂、ポリオレフィン系樹脂、特殊シランモノマー、吸水ポリマー又は吸水性樹脂等を主成分とする部材であることが考えられる。
【００５７】
本実施形態では、巻付部３１で吸い上げられた液体は、流路部３２を通過して、第二止水部材５に到達する。これにより、第二止水部材５が膨らむ。即ち、本実施形態においては、第一止水部材３の巻付部３１で吸水された液体によって、第二止水部材５が膨張する。
【００５８】
膨張した第二止水部材５は、コネクタ４の止水用キャビティ４１Ｘの内側面に密接する。これにより、コネクタ４の止水用キャビティ４１Ｘの液体をせき止めることが可能となる。
【００５９】
また、本実施形態において、第二止水部材５は、排水孔４３よりもコネクタ４の第二面４１２側に設けられている。なお、コネクタ４の第二面４１２は、このコネクタ４に接続される相手側部材との接続面でもある。本実施形態では、第一止水部材３で吸水した液体を、第二止水部材５に供給することで、コネクタ４の止水用キャビティ４１Ｘを塞ぐことができ、また、第二止水部材５で吸水されなかった液体を、排水孔４３から排出することができる。
【００６０】
なお、第二止水部材５の一部が、排水孔４３と重なっている場合も考えられる。また、第二止水部材５が、排水孔４３よりもコネクタ４の第一面４１１側に設けられている場合も考えられる。
【００６１】
＜ワイヤーハーネス：外装材＞
本実施形態において、ワイヤーハーネス１は、外装材６をさらに備えている。外装材６は、コネクタ４から引き出された電線２の周囲を一括して覆っている。
【００６２】
例えば、外装材６は、コネクタ４の一部から電線２に亘る部分に巻き付けられたテープ状の部材であることが考えられる。この場合、テープ状の部材は、例えば、一方の面に粘着層が形成されていることが考えられる。そして、外装材６は、このテープ状の部材の粘着層を内側にしてコネクタ４から電線２に亘る部分に巻き付けられて形成された部材であることが考えられる。
【００６３】
また、本実施形態では、外装材６は、第一止水部材３の一部も一括して覆っている。より具体的には、外装材６は、第一止水部材３の複数の巻付部３１も一括して覆っている。
【００６４】
また、他にも、外装材６が、例えば、ＰＶＣ（ポリ塩化ビニル）シート、ウレタンシート又は吸水シート等のシート部材が、コネクタ４から電線２に亘る部分を一括して覆うことにより形成される部材であることも考えられる。
【００６５】
＜ワイヤーハーネス＞
本実施形態において、第一止水部材３の流路部３２の端部には、端子３２３が接続され、また、第二止水部材５が設けられている。そして、第一止水部材３の流路部３２の端部は、コネクタ４の止水用キャビティ４１Ｘに収容され、固定されている。この場合、コネクタ４のキャビティ（止水用キャビティ４１Ｘ）を利用してコネクタ４、電線２及び第一止水部材３が一体となったワイヤーハーネス１を得ることができる。
【００６６】
即ち、１つのひも状の第一止水部材３において、その一方の端は、コネクタ４の止水用キャビティ４１Ｘに収容されている。そして、第一止水部材３におけるコネクタ４の止水用キャビティ４１Ｘから引き出された部分が、コネクタ４のキャビティ４１に収容された複数の電線２各々に対して、その全周に亘って順次巻き付けられる。本実施形態においては、第一止水部材３におけるコネクタ４の止水用キャビティ４１Ｘから電線２に対し最初に巻き付けられる部分に亘る部分を、流路部３２と称している。また、各電線２の全周に亘って巻き付けられている部分を、巻付部３１と称している。
【００６７】
また、本実施形態では、１つのひも状の第一止水部材３において、電線２に対し最後に巻き付けられた部分から他方の端に亘る部分を、他方側流路部３９と称している。他方側流路部３９は、複数の電線２の最後に巻き付けられた箇所から折り返され、流路部３２の周囲に巻き付けられて固定されている場合が考えられる。また、他方側流路部３９の端部が、流路部３２の端部とともにコネクタ４の止水用キャビティ４１Ｘに収容され固定されている場合も考えられる。この場合、液体が、他方側流路部３９を介して流路部３２へ移動することが考えられる。
【００６８】
複数の電線２、第一止水部材３、コネクタ４、第二止水部材５及び外装材６を備えるワイヤーハーネス１は、自動車等の車両に搭載される。そして、ワイヤーハーネス１におけるコネクタ４が、接続相手である相手側部材に接続される。なお、コネクタ４における相手側部材との接続面、即ち、第二面４１２が、第一面４１１よりも、鉛直方向において下側に位置した状態で、かつ、電線２を伝う水等の液体が重力によってコネクタ４に浸入する恐れのある形態でワイヤーハーネス１が車両に搭載されていることが考えられる。この場合、水等の液体が電線２の外周面を伝って、電線２の端部へ流れやすい。本実施形態においては、コネクタ４へと液体が侵入しやすくなる。そのため、第一止水部材３を備える本実施形態のワイヤーハーネス１の止水構造が、より有効となる。
【００６９】
＜第２実施形態＞
次に、図７を参照しつつ、第２実施形態に係るワイヤーハーネス１Ａについて、説明する。図７は、ワイヤーハーネス１Ａのコネクタ４及び第一止水部材３の一部切り欠き側面図である。なお、図７においては、図５，６と同様、外装材６が省略されている。また、図７において、図１〜６に示される構成要素と同じ構成要素には、同じ参照符号が付されている。
【００７０】
本実施形態では、第一止水部材３の流路部３２の端部に、端子３２３が接続されていない。本実施形態では、第二止水部材５が、接続部材９によって第一止水部材３に接続されている点で、第１実施形態と異なっている。また、ワイヤーハーネス１Ａは、止水用キャビティ４１Ｘの部分に排水孔４３及び第二保持部４２２が形成されていないコネクタ４Ａを備えている点でも第１実施形態と異なっている。以下、本実施形態における第１実施形態と異なる点について説明する。
【００７１】
本実施形態において、コネクタ４Ａには、排水孔４３が形成されていない。また、第二止水部材５が、コネクタ４における第二面４１２側の開口寄りの位置に設けられている。この場合、コネクタ４の止水用キャビティ４１Ｘに浸入する液体を、止水用キャビティ４１Ｘの第二面４１２側の開口付近でせき止めることができる。
【００７２】
接続部材９は、例えば、金属製のリング状のかしめ部材である。図７に示される例では、第二止水部材５が第一止水部材３の外周面を覆うように設けられた状態で、第二止水部材５を挟んで第一止水部材３に接続部材９が取り付けられている。即ち、接続部材９は、第一止水部材３との間に第二止水部材５を介した状態で、第一止水部材３に取り付けられ、第一止水部材３と第二止水部材５とを接続している。
【００７３】
＜応用例＞
第一止水部材３を複数の電線２各々に対して２周以上巻き付ける場合も考えられる。また、第一止水部材３の巻付部３１が、外装材６によって覆われていない場合も考えられる。
【００７４】
なお、本発明に係るワイヤーハーネスは、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００７５】
１  ワイヤーハーネス
２  電線
３  第一止水部材
３０  線状部材
３１  巻付部
３２  流路部
４  コネクタ
４１  キャビティ
４３  排水孔
５  第二止水部材
６  外装材
【図１】
2016051626.tif 000003
【図２】
2016051626.tif 000004
【図３】
2016051626.tif 000005
【図４】
2016051626.tif 000006
【図５】
2016051626.tif 000007
【図６】
2016051626.tif 000008
【図７】
2016051626.tif 000009